(57)【特許請求の範囲】
【請求項１】
中央で上下方向へ開口したインレット、及び前記インレットを中心に放射状に配置されかつ上方に突出した複数の上部洗濯リブを有する上部パルセータと、
前記上部洗濯リブの底面に嵌合するように上方に突出した複数の下部洗濯リブ、前記上部パルセータの底面から離隔するように配置されて前記上部パルセータとの間に前記インレットを介して流入する洗濯水の流路を形成する案内面、及び前記流路を介して流動する洗濯水が下方へ流出するように前記案内面の周辺に形成されたアウトレットを有し、かつ前記上部パルセータの縁をベンディングして下部パルセータの縁部を包むことにより固定されると共に洗濯機の駆動軸に固定されていて前記上部パルセータと共に回転する下部パルセータとを含み、かつ
前記下部パルセータは、前記アウトレットに隣接して前記下部パルセータの底面から下方に突出し、パルセータの回転時に、前記アウトレットから流出する洗濯水を遠心力によって円周方向に吐出する下部インペラを含み、
前記上部パルセータは金属材料で形成され、かつ
前記上部洗濯リブの各々は、前記上部洗濯リブの上面内に中心部から半径方向外方へ向けて形成されたグルーブを有する、ことを特徴とする洗濯機のパルセータ。
【請求項２】
前記上部パルセータはステンレス等の金属材料で形成され、かつ前記下部パルセータは合成樹脂材料で形成されている請求項１に記載の洗濯機のパルセータ。
【請求項３】
前記上部パルセータは、
前記下部パルセータから分離しないように、前記下部パルセータの縁部分を包むように縁をベンディングして前記下部パルセータに固定されている請求項１に記載の洗濯機のパルセータ。
【請求項４】
前記流路は、複数の前記下部洗濯リブの相互間の空間に位置決めされている請求項１に記載の洗濯機のパルセータ。
【請求項５】
前記アウトレットは、前記案内面の縁に沿って放射状に配置された複数の前記下部洗濯リブの相互間に少なくとも一つ以上形成されている請求項１に記載の洗濯機のパルセータ。
【請求項６】
前記上部及び下部パルセータは、前記上部パルセータの上側空間と前記下部パルセータの下側空間とが相互に連通するように前記上部及び下部パルセータを貫通する複数の通孔を更に含む請求項１に記載の洗濯機のパルセータ。
【請求項７】
前記通孔は、前記上部及び下部パルセータのそれぞれにおいて、縁に隣接して前記上部及び下部洗濯リブの洗濯リブ間に形成されている請求項６に記載の洗濯機のパルセータ。
【請求項８】
前記下部パルセータは、前記インレットを介して流入した後に前記流路内を流動する洗濯水が下部パルセータの周縁部に流れ込むことを防止し、前記アウトレットを介して下方に流出するように案内するために、前記アウトレットの外周辺から前記上部パルセータの底面に接触するように上方へ突出した案内リブを更に含む請求項１に記載の洗濯機のパルセータ。
【請求項９】
前記下部パルセータは、前記下部洗濯リブの上面から突出して、前記上部パルセータの上部洗濯リブの内面に接触する複数の突起を更に含む請求項１に記載の洗濯機のパルセータ。
【請求項１０】
前記突起は前記下部洗濯リブの放射方向の中心線の両側上に相互に対称となるように形成されている請求項９に記載の洗濯機のパルセータ。
【請求項１１】
前記突起は前記下部洗濯リブの上面上に更に形成されている請求項１０に記載の洗濯機のパルセータ。
【請求項１２】
前記突起は多角形断面を有する請求項９に記載の洗濯機のパルセータ。
【請求項１３】
前記インレットに着脱自在に設置されて、前記インレットに流入する洗濯水に含まれるリントを採集するろ過器を更に含む請求項１に記載の洗濯機のパルセータ。
【請求項１４】
前記ろ過器は、
前記インレットに着脱自在に挿入される円筒形のケーシングと、
前記ケーシングの開放された上部に着脱自在に設置され、かつ複数の流入孔が形成されたキャップと、
前記ケーシングの内部に設置され、前記インレットに流入する洗濯水に含まれるリントを採集する採集網を含む請求項１３に記載の洗濯機のパルセータ。
【請求項１５】
前記ケーシングとキャップはそれぞれ前記インレットとケーシングにフックによって結合できる請求項１４に記載の洗濯機のパルセータ。
【請求項１６】
前記ろ過器は、
前記インレットに挿入される円筒形のケーシングと、
前記ケーシングの開放された上部に着脱自在に設置され、かつ複数の流入孔が形成されたキャップと、
前記ケーシングの下部に設置され、かつ前記インレットに流入する水に含まれるリントを採集するフィルターを含む請求項１３に記載の洗濯機のパルセータ。
【請求項１７】
前記ケーシングとキャップはそれぞれ前記インレットとケーシングにフックによって結合できる請求項１６に記載の洗濯機のパルセータ。
【請求項１８】
前記下部パルセータは、
前記上部洗濯リブの上面内に形成されたグルーブに対応するグルーブを前記下部洗濯リブの上面内に有する請求項１に記載の洗濯機のパルセータ。
【請求項１９】
キャビネットに提供されるタブと、
モーターによって回転し、前記タブの底面を貫通する駆動軸と、
中央で上下方向に開口したインレット、及び前記インレットを中心に放射状に配置されかつ上方へ突出した複数の上部洗濯リブを有する上部パルセータと、
前記上部洗濯リブに対応しかつ前記上部洗濯リブの底面に嵌合するように上方へ突出した複数の下部洗濯リブ、前記上部パルセータの底面から離隔して配置されて前記上部パルセータとの間に前記インレットを介して流入する洗濯水の流路を形成する案内面、前記流路を介して流入する洗濯水が下方へ流出するように前記案内面の周辺に形成されたアウトレットを有する下部パルセータとを含み、
前記下部パルセータは前記上部パルセータの縁をベンディングして下部パルセータの縁部を包むことにより固定されると共に洗濯機の駆動軸に固定されていて前記上部パルセータと共に回転し、かつ
前記下部パルセータは、前記アウトレットに隣接して前記下部パルセータの底面から下方に突出し、パルセータの回転時に、前記アウトレットから流出する洗濯水を遠心力によって円周方向に吐出する下部インペラを含み、
前記上部パルセータは金属材料で形成され、かつ
前記上部洗濯リブの各々は、前記上部洗濯リブの上面内に中心部から半径方向外方へ向けて形成されたグルーブを有する、ことを特徴とする洗濯機。
【請求項２０】
前記上部パルセータはステンレス等の金属材料で形成され、かつ前記下部パルセータは合成樹脂材料で形成されている請求項１９に記載の洗濯機。
【請求項２１】
前記下部パルセータは、前記上部洗濯リブの上面内に形成されたグルーブに対応するグルーブを、下部洗濯リブの上面内に有する請求項１９に記載の洗濯機。
【請求項２２】
前記タブは、
前記下部パルセータの下部を収容できる凹面を底面に有する請求項１９に記載の洗濯機。
【請求項２３】
前記上部及び下部パルセータの外周面の端部と前記凹面との間に隙間を有する請求項２２に記載の洗濯機。
【請求項２４】
前記上部及び下部パルセータは、
前記上部パルセータ上側空間と、前記下部パルセータ下側空間とが互いに連通するように前記上部及び下部パルセータを貫通する複数の通孔を更に含む請求項１９に記載の洗濯機。
【請求項２５】
前記下部パルセータは、前記インレットを介して流入した後に前記流路内を流動する洗濯水が下部パルセータの周縁部に流れ込むことを防止し、前記アウトレットを介して下方に流出するように案内するために、前記アウトレットの外周辺から前記上部パルセータの底面に接触するように上方へ突出した案内リブを更に含む請求項１９に記載の洗濯機。
【請求項２６】
前記下部パルセータは、前記下部洗濯リブの上面から突出して、前記上部パルセータの上部洗濯リブ内面に接触する複数の突起を更に含む請求項１９に記載の洗濯機。
【請求項２７】
前記インレットに着脱自在に設置されて、前記インレットに流入する洗濯水に含まれるリントを採集するろ過器を更に含む請求項１９に記載の洗濯機。
【請求項２８】
前記ろ過器は、
前記インレットに着脱自在に挿入される円筒形のケーシングと、
前記ケーシングの開放された上部に着脱自在に設置され、かつ複数の流入孔が形成されたキャップと、
前記ケーシングの内部に設置され、前記インレットに流入する洗濯水に含まれるリントを採集する採集網を含む請求項２７に記載の洗濯機のパルセータ。
【請求項２９】
前記ろ過器は、
前記インレットに挿入される円筒形のケーシングと、
前記ケーシングの開放された上部に着脱自在に設置され、かつ複数の流入孔が形成されたキャップと、
前記ケーシングの下部に設置され、かつ前記インレットに流入する水に含まれるリントを採集するフィルターを含む請求項２７に記載の洗濯機。
【発明の詳細な説明】
【０００１】
【発明の属する技術分野】
本発明は、洗濯機に関するもので、特に、タブの底面に提供されて回転しながら水流を形成するパルセータ及びこれを用いた洗濯機に関するものである。
【０００２】
【従来の技術】
一般に、洗濯機は洗剤と水との作用を用いて洗濯物の汚れを落とすために洗濯とすすぎ及び脱水過程を進める機器である。かかる洗濯機は通常アジテータタイプ（撹拌式）とドラムタイプ及びパルセータタイプとに分けられる。
【０００３】
アジテータタイプは、タブの中央に尖っている洗濯棒を左右に回転させて洗濯する方式である。アジテータタイプ洗濯機は洗浄力に優れるが、洗濯時の騒音と振動が大きく、かつ洗濯物に損傷を与えるという短所がある。
【０００４】
また、ドラムタイプは内面に多数のタンブリングリブが突出したドラムの内部に水と洗剤及び洗濯物を入れてドラムを低速で回転させて洗濯する方式のことをいう。ドラムタイプの洗濯機は洗濯物の損傷が少なく、洗い水が少量で、洗濯物が絡むことのないという長所がある。しかしながら、消費電力が多く、洗濯時間が長くなり、騒音が大きいという短所がある。
【０００５】
尚、パルセータタイプは洗濯槽の下部に形成されている円板状のパルセータを左右に回転させることで発生する水流と洗濯物と間の摩擦力を用いて洗濯する方式である。パルセータタイプ洗濯機は洗濯時間が短く、大容量化が可能であるということが最大の長所であり、騒音及び振動などが相対的に少なく、安価である。
しかしながら、洗濯物の絡みが発生し、洗濯物の損傷度が相対的に高いという短所はあるが、最近クラッチを無くし、直接駆動方式を採用するなどの技術改善に基づき、前記問題点が補完され、性能の向上と共に次第に汎用されつつある。
【０００６】
図１２に示すように、関連技術のパルセータタイプ洗濯機の構造について簡単に説明する。
キャビネット１内には内部に水を貯水する円筒型のアウタータブ（図示せず）が提供される。アウタータブの内部にはインナータブ２が回動自在に提供される。インナータブ２の内部底面にはパルセータ３が提供される。パルセータ３はモーター（図示せず）によって回転する駆動軸（図示せず）と結合する。また、パルセータ３の上面には放射状に配置されて上側に突出した多数の洗濯リブ３aが提供される。このように提供されるパルセータ３は正方向及び逆方向に回転しながら水流を起こして洗濯を行う。キャビネット１の開放上部にはトップカバー４が提供されるが、トップカバー４には洗濯機の内部を開閉するためのリードが提供される。図面の符号６は洗濯時発生するリント（ｌｉｎｔ）をフィルタリングするためのろ過網である。
【０００７】
前記構造を有するパルセータタイプ洗濯機はパルセータ３の回転時に発生する水流によって洗濯物が互いに摩擦しながら洗濯が行われる。従って、パルセータ洗濯機で水流の種類及び強度は洗濯能力を左右する非常に重要な因子中の一つである。ところが、前記パルセータ３の構造を有する洗濯機において前記水流は大部分が洗濯リブ３ａによって形成されるので多様な種類の水流を形成しにくいという限界がある。即ち、洗濯リブ３ａは主に水平方向の動きを有する水流の形成に適しているが、垂直方向へ大きく動ける水流を形成できないという限界を有している。
従って、パルセータタイプ洗濯機の洗濯性能を向上するためには、水平方向の水流と共に、垂直方向へ大きく動ける水流を形成できる改善されたパルセータ３の設計が必要である。
【０００８】
尚、前記構造を有する従来のパルセータタイプ洗濯機において洗濯時に内面と外面とが全て水に浸されるインナータブ２は耐食性に優れたステンレススチールからなる。また、インナータブ２の底面に備え、回転しながら水流を起こすパルセータ３は一般的に合成樹脂材質からなる。
【０００９】
かかるパルセータタイプ洗濯機は、ステンレススチールからなるインナータブ２は金属光沢を有する反面、合成樹脂材質のパルセータ３はつやがないのでインナータブ２とパルセータ３との不調和により外観が美麗でないという問題があった。
尚、合成樹脂材質のパルセータ３が回転するとき、洗濯物がパルセータ３の上面に頻繁に接触する。この時ボタン又はジッパーのように洗濯物に付着されている金属性の物質が合成樹脂材質のパルセータ３の上面を掻くことによりパルセータ３の表面にたくさんのスクラッチ及びバー（burr）が生成され、これによって洗濯時に洗濯物に損傷を与えることで多量のリントが発生するという問題がある。
【００１０】
【発明が解決しようとする課題】
本発明は、上記関連技術の問題点を解決するためのもので、パルセータの上面にスクラッチ又はバーが発生することを防止し、美感を向上させるためにパルセータの上面部分が金属材質からなるパルセータ及びこれを用いた洗濯機を提供することが目的である。
【００１１】
本発明の他の目的は水平方向への水流のみならず、垂直方向への水流を含む多様な種類の水流を形成できる改善された構造のパルセータ及びこれを用いた洗濯機を提供するものである。
【００１２】
【課題を解決するための手段】
上記目的を達成するための本発明によるパルセータの一実施例は、中央で上下方向へ開口したインレット、及び前記インレットを中心に放射状に配置されかつ上方に突出した複数の上部洗濯リブを有する上部パルセータと、
前記上部洗濯リブの底面に嵌合するように上方に突出した複数の下部洗濯リブ、前記上部パルセータの底面から離隔するように配置されて前記上部パルセータとの間に前記インレットを介して流入する洗濯水の流路を形成する案内面、及び前記流路を介して流動する洗濯水が下方へ流出するように前記案内面の周辺に形成されたアウトレットを有し、かつ前記上部パルセータと縁で固定されると共に洗濯機の駆動軸に固定されていて前記上部パルセータと共に回転する下部パルセータとを含むことを特徴とする。
本発明によるパルセータの他の実施例は、洗濯槽の底面に回転自在に設けられる円形本体、前記本体から上方に突出し中央で上下方向に開口したインレット、及び前記インレットを中心に放射状に配置されかつ上方へ突出し回転時に水流を起こす複数の上部洗濯リブを有する上部パルセータと、
前記上部洗濯リブの底面に嵌合するように前記上部洗濯リブに対応して形成され上方へ突出した複数の下部洗濯リブ、前記上部パルセータの底面から離隔して配置されて前記上部パルセータとの間に前記インレットを介して流入する洗濯水の流路を形成する案内面、前記流路を介して流入する洗濯水が下方へ流出するように前記案内面の周辺に形成されたアウトレットを有する下部パルセータを含み、
前記下部パルセータは前記上部パルセータと縁で固定されると共に洗濯機の駆動軸に固定されていて前記上部パルセータと共に回転することを特徴とする。
前記下部パルセータは、洗濯水の効果的拡散のために、前記アウトレットに隣接して前記下部パルセータの底面から下方に突出し、パルセータの回転時に、前記アウトレットから流出する洗濯水を遠心力によって円周方向に吐出する下部インペラを含むのが好ましい。
【００１３】
前記上部パルセータは例えば、ステンレス材質からなる。
前記上部パルセータは前記下部パルセータから分離されないように、前記下部パルセータの縁部分を包むようにベンディングして固定される縁を有する。
【００１４】
前記下部パルセータは例えば、前記アウトレットと隣り合っている位置の底面から下側に向かって突出し、パルセータの回転時前記アウトレットから排出された遠心力を用いて円周方向に吐出す下部インペラを更に含めてなる。
前記流路は例えば、前記下部洗濯リブの間の空間に位置され、前記アウトレットは前記案内面の縁に沿って放射状に配置されるように少なくとも一つ以上提供される。
【００１５】
前記上部及び下部パルセータは例えば、前記上部パルセータ上側空間と前記下部パルセータの下側空間とが互いに連通するように前記上部及び下部パルセータを貫通する多数の通孔を更に含めて成される。ここで、前記通孔は前記上部及び下部パルセータの縁に隣接した部位に形成される。
【００１６】
前記下部パルセータは例えば、前記インレットを介して流れ込んだ後、前記流路内を流動する水が周縁部に流れ込むことを防止し前記アウトレットを介して下側に排出されるように案内し、前記アウトレットと前記下部パルセータの周縁部の地点から前記上部パルセータの底面に接触するように突出する案内リブを更に含めてなる。
【００１７】
前記下部パルセータは、前記上部パルセータと下部パルセータとの間に存在する隙間により発生する上部パルセータの揺れを防止するように、前記下部洗濯リブの外側面から突出して前記上部パルセータの上部洗濯リブ内側面に接触する多数の突起を更に含めてなることが望ましい。
ここで、前記突起は前記下部パルセータの両側面に互いに対称となるように提供され、前記突起は、前記下部パルセータの上側面に更に提供され、多角形の平端面を有することが望ましい。
【００１８】
尚、パルセータの一実施例は、前記インレットに着脱自在に提供され、前記インレットに流れ込む水に含まれたリントを採集するろ過器を更に含めてなることが望ましい。
【００１９】
前記ろ過器は、前記インレットに着脱自在に挿入される円筒形のケーシングと、
前記ケーシングの開放された上部に着脱自在に提供され、多数の流入孔が形成されたキャップと、また、前記ケーシングの内部に提供され、前記インレットに流れ込んだ水に含まれたリントを採集する採集網を含めてなる。
前記ろ過器は、前記インレットに挿入される円筒形のケーシングと、前記ケーシングの開放された上部に着脱自在に提供され、多数の流入孔が形成されたキャップと、前記ケーシングの下部に提供され、前記インレットに流入した水に含まれているリントを採集するフィルターを含めてなり、前記ケーシングとキャップは各々前記インレットとケーシングにフックで結合されることが望ましい。
【００２０】
前記上部及び下部パルセータは、前記上部パルセータをプレス加工する時に伸張率の差に基づいた皴の発生を防止し、上部洗濯リブの強度を増加させるように上部洗濯リブに提供されるグルーブ及び前記上部洗濯リブのグルーブとの干渉を防止するために前記下部パルセータの下部洗濯リブに提供される更に異なるグルーブを更に含めてなる。
【００２１】
本発明による洗濯機の一実施例は、キャビネットに提供されるタブと、
モーターによって回転し、前記タブの底面を貫通する駆動軸と、
中央で上下方向に開口したインレット、及び前記インレットを中心に放射状に配置されかつ上方へ突出した複数の上部洗濯リブを有する上部パルセータと、
前記上部洗濯リブに対応しかつ前記上部洗濯リブの底面に嵌合するように上方へ突出した複数の下部洗濯リブ、前記上部パルセータの底面から離隔して配置されて前記上部パルセータとの間に前記インレットを介して流入する洗濯水の流路を形成する案内面、前記流路を介して流入する洗濯水が下方へ流出するように前記案内面の周辺に形成されたアウトレットを有する下部パルセータ含み、
前記下部パルセータは前記上部パルセータと縁で固定されると共に洗濯機の駆動軸に固定されていて前記上部パルセータと共に回転する構成である。
前記下部パルセータは、洗濯水の効果的拡散のために、前記アウトレットに隣接して前記下部パルセータの底面から下方に突出し、パルセータの回転時に、前記アウトレットから流出する洗濯水を遠心力によって円周方向に吐出する下部インペラを含む。
【００２２】
前記タブは、前記下部パルセータの下部を収容できるようにその底面に形成されて凹んでいる面を更に含めてなり、 前記上部及び下部パルセータの外周面の端部と前記凹んでいる面との間に隙間を有することが望ましい。
【００２３】
前記下部パルセータは、前記アウトレットと隣接した位置の底面から下側に向かって突出し、パルセータの回転時、前記アウトレットで排出された水を遠心力を用いてポンピングすることによって前記隙間を介して吐出す下部インペラを更に含めてなることが望ましい。
【００２４】
洗濯機の一実施例で上部及び下部パルセータの構造は前記本発明によるパルセータの一実施例と同一であるのでその説明を省略する。
洗濯機の一実施例は例えば、前記インレットに着脱自在に提供され、前記インレットに流れ込む水に含まれたリントを採集するろ過器を更に含めてなる。ここで、ろ過器の構成はパルセータの一実施例での説明と同じであるので省略する。
【００２５】
尚、前記目的を達成するためのパルセータの他の実施態様は、タブの底面を貫通するように設けられた駆動軸に結合されて回転し、上側に突出した多数の洗濯リブを有する合成樹脂材質のパルセータボディーと、また、前記パルセータのボディーの表面に提供される金属めっき層とを含めてなることが望ましい。
【００２６】
前記金属めっき層はクロムめっき層であり、前記パルセータボディーの上面と外周面に提供される。
【００２７】
パルセータの他の実施態様は前記他の目的のために、前記金属めっき層を貫通するように提供されるインレット、前記パルセータボディーの下側に形成される少なくとも一つ以上のアウトレットと、また、前記インレットとアウトレットとが互いに連通されるように前記パルセータボディーの内部に提供される流路を更に含めてなる。
【００２８】
前記インレットはパルセータの上側中央に提供され、前記アウトレットは前記パルセータボディーの底面の縁に隣接した位置に提供される。
パルセータの他の実施態様はたとえば、前記インレットに着脱自在に提供され、前記インレットに流れ込む水に含まれたリントを採集するろ過器を更に含めてなるが、その詳しい構成の説明は省略する。
【００２９】
洗濯機の他の実施態様はキャビネット内に提供されるタブと、モーターによって回転し、前記タブの底面を貫通する駆動軸と、前記駆動軸に結合されて回転し、上側に突出した多数の洗濯リブを有する合成樹脂材質のパルセータボディーと、また、前記パルセータのボディーの表面に提供される金属めっき層とを含めてなる。
【００３０】
【発明の実施の形態】
以下、本発明の望ましい実施形態を添付の図面に基づいて詳細に説明する。
【００３１】
図１ないし図８は本発明によるパルセータの一実施例の構造を示している。
パルセータの一実施例は、金属材質の上部パルセータ１００、また、合成樹脂材質の下部パルセータ２００とを含めてなる。
上部パルセータ１００は円板状を成し、その中心には図１ないし図４に示すように、インレット１２０が貫通する。中央に形成されるインレット１２０は縁部分に比べて突出するが、突出した傾斜面は緩やかで凹んでいる曲面を有する。また、インレット１２０を中心に多数の上部洗濯リブ１１０は放射状に配置されて上側に突出する。かかる上部洗濯リブ１１０は図１に示すように、上部パルセータ１１０の中央部分に隣接した部分の高さと幅がそのエッジ部と、即ち、上部パルセータ１００の周りに隣接した部分の高さと幅より小さく形成される。
【００３２】
かかる構造を有する上部パルセータ１００は金属材質、更に詳しくはステンレススチールからなる薄板をプレス加工して製作することが望ましい。上部パルセータ１００は前記のように薄板がプレス加工されていないのでその底面は同一形状を有することになる。
上部パルセータ１００にはまた、上部パルセータ１００の上側空間とその下側空間とが相互連通され得るように多数の通孔１３０が貫通される。かかる通孔１３０は図１及び図２に示すように、上部洗濯リブ１１０の間に位置し、上部パルセータ１００の縁に隣接した部位に位置するように提供される。
【００３３】
下部パルセータ２００は上部パルセータ１００の下部で結合され、モーターによって正方向または逆方向に回転する駆動軸で固定されて共に回転する。かかる下部パルセータ２００は下部洗濯リブ２１０の案内面２２０、また、アウトレット２４０を含めてなる。
【００３４】
下部洗濯リブ２１０は、下部パルセータ２００の上面で放射状に配置されて突出し、上部洗濯リブ１１０の底面内側に挿入して結合される。このために、下部洗濯リブ２１０は上部洗濯リブ１１０と同一形状を有して、その大きさは上部洗濯リブ１１０と同じであるか些か小さい大きさを有する。
下部パルセータ２００の上面の中央は図１及び図４に示すように、上側に些か突出する。かかる下部パルセータ２００の上面中央は下部パルセータ２００が上部パルセータ１００に結合された時、上部パルセータ１００のインレット１２０と所定の距離離隔できる高さを有する。
【００３５】
案内面２２０は、図４に示すように、突出した下部パルセータ２００の上面中央から半径方向に傾斜している。かかる案内面２２０は上部パルセータ１００の底面と一定距離離隔するように提供されて上部パルセータ１００の底面との間にインレット１２０を介して流れ込んだ洗濯水の流路２５０を形成する。図４に示すように、案内面２２０は上部パルセータ１００の底面と類似した凹曲面を有する。尚、案内面２２０と上部パルセータ１００の底面との間に形成される流路２５０は下部洗濯リブ２１０の間の空間に位置するのが望ましい。
【００３６】
アウトレット２４０は案内面２２０の端に提供される。アウトレット２４０は、流路２５０と下部パルセータ２００の底面とを互いに連通して、インレット１２０を介して流れ込んだ後、流路２５０を介して下側へ流動する水を下部パルセータ２００の下側へ排出する。かかるアウトレット２４０は案内面２２０の縁に沿って放射状に配置されるように少なくとも一つ以上形成される。
【００３７】
下部パルセータ２００には流路２５０を介して流動する水を全量アウトレット２４０に案内するための案内リブ２６０を更に含む。案内リブ２６０は図４に示すように、アウトレット２４０と下部パルセータ２００の縁との間の地点から上側に突出して水が下部パルセータ２００の縁に流動することを防止し、アウトレット２４０側に流動するように案内する。かかる案内リブ２６０は流路２５０内に流れる水を全量アウトレット２４０に案内できるように上部及び下部パルセータ２００が結合された時、その上端部が上部パルセータ１００の底面に接触して密着され得る高さを有するのが望ましい。
【００３８】
下部パルセータ２００にはまた、下部パルセータ２００の上側空間とその下側空間が互いに連通できるように多数の通孔２３０が貫通される。かかる通孔２３０は上部パルセータ１００に形成された通孔１３０と各々連通し得るように配置される。このように上部及び下部パルセータ２００に互いに連通される通孔１３０，２３０が提供されると、上部パルセータ１００の上側空間と下部パルセータ２００の下側空間とが互いに連通され、これらの通孔１３０、２３０を介して水が移動できるようになる。
【００３９】
前記のように構成された下部パルセータ２００は金属材質の上部パルセータ１００とは異なって合成樹脂材質からなる。また、その内部に流路２５０とアウトレット２４０及び案内リブ２６０を含めた多様な構造が提供されるので成型及び大量生産性に優れる射出成型加工方法を介して作製される。
【００４０】
尚、前記のように上部及び下部パルセータ１００，２００は互いに組立てられたアセンブリーで洗濯機に取り付けられて用いられる。このように各々上部及び下部パルセータ１００，２００が上側と下側で互いに組み立てられたアセンブリー（以下、パルセータと称する）、即ち、パルセータ４００は洗濯機の使用中に絶対に分離されてはいけない。このために上部パルセータ１００の縁は下部パルセータ２００の縁を囲むようにベンディング固定される。上部及び下部パルセータ１００，２００が前記のように固定されると、ベンディングした上部パルセータ１００の縁が上部及び下部パルセータ１００，２００の上下の方向への離脱を防止するように上部及び下部の洗濯リブ２１０が上部及び下部パルセータ１００，２００の左右方向の動きを制限するのでパルセータ４００は堅固な組み立て状態を維持する。
【００４１】
尚、上部パルセータ１００はステンレス材質の薄板をプレス加工して製作するので他部分に比べて多く突出した上部洗濯リブ１１０の強度が低下するおそれが高い。上部洗濯リブ１１０と水と直接接触しながら水流を作る部分であるので強度が低下する場合塑性変形が生じ、極端の場合、クラック発生の可能性もある。また、プレス加工後には加工部位の形状に沿って局部的な皺及び歪が発生する。かかる局部的な皺及び歪はプレス加工時の塑性変形または各部分の伸張率の差に基づくものであり、伸張率が相対的に低い部分から皺及び歪が発生する。このように、プレス加工時の伸張率の差のため発生する歪は外観が美麗ではなく、また、寸法不良を起こす。かかる問題を解決できる補完設計が求められている。
【００４２】
本発明は円形の薄板をプレス加工して生産しても前記問題を最小化できる改善された構造の上部及び下部パルセータ１００，２００を提供する。改善された構造の上部及び下部パルセータ１００，２００は図３に示した。
図３に示すように、改善された構造の上部パルセータ１００は図２を参照して説明した構造と共に、上部洗濯リブ１１０の上面から下方に凹んでいるグルーブ１７０を更に含めてなる。ここで、グルーブ１７０はプレス加工時に形成される。かかるグルーブ１７０は図３に示すように、上部洗濯リブ１１０の上面中、特に上部パルセータ１００の中心部分の近傍に提供される。これは、上部洗濯リブ１１０が図１ないし図３に示すように、上部パルセータ１００の中心部に近い部分の高さ及び幅が上部パルセータ１００の周りに近い部分の高さ及び幅より小さいので、プレス加工時に該部分の伸張率が非常に小さく、グルーブ１７０が提供されない場合には皺及び歪が発生するからである。
【００４３】
このように上部パルセータ１００の中心部に近い部分の上部洗濯グルーブ１１０の上面にグルーブ１７０が提供されると、グルーブ１７０が提供された部分の伸張率が広くなり他の部位との伸張率の差を解消できるので、プレス加工時に発生する皺及び歪を防止することができる。
このようにグルーブ１７０によって皺及び歪が防止されると、パルセータの外観が美麗になるだけではなく、寸法不良による組立て不良も共に防止することができる。
また、上部洗濯リブ１１０の上面にグルーブ１７０が提供されると、従来より広い表面積を有するので外部から加えられる力が従来と同じ場合、従来に比べて単位面積当たり応力が小さくなり強度低下を効果的に防止することができる。
【００４４】
尚、下部パルセータ２００の下部洗濯リブ２１０の上部、特に下部パルセータ２００の中心と隣接した部分には図３に示すように、上部パルセータ１００のグルーブ１７０と対応する他のグルーブ２７０が提供される。かかる下部パルセータ２００のグルーブ２７０は上部パルセータ１００のグルーブから干渉されずにその凹んでいる上部面に上部パルセータのグルーブが収容できるように提供される。
【００４５】
尚、パルセータ４００は洗濯時に正方向または逆方向に向きを変えて行きながら回転するので回転方向の転換時、特に上部洗濯リブ１１０が片側方向から強力な水圧を受けることになる。ところが、上部及び下部パルセータ２００は前記のように互いに接触するものではないので、上部パルセータ１００の底面と下部パルセータ２００の上面との間には図５に示すように、小さいギャップが存在する。
前記ギャップのためパルセータ４００が回転方向を転換する時、又は強力な水流が上部パルセータ１００に作用される時、上部及び下部パルセータ２００が互いに衝突する。このように上部及び下部パルセータ２００がぶつかることになると、騒音が発生し、極端な場合上部パルセータ１００に局部的な塑性変形が生ずる。また、上部パルセータ１００の揺れが発生し、揺れが次第に大きくなって故障を起こすおそれもある。従って、上部パルセータ１００の揺れ発生を予め防止するための補完設計が必要である。
【００４６】
本発明では、前記上部パルセータ１００の揺れ発生を防止するための構造を共に提供する。即ち、図６に示すように、本発明では下部パルセータ２００の上面、更に具体的には下部洗濯リブ２１０の外側面に上部パルセータ１００の底面と接触して上部パルセータ１００を支持する多数の突起２１５を提供する。突起２１５は図６に示すように、下部パルセータ２００の両側面に互いに対称となるように提供されることが望ましい。かかる突起２１５は上部パルセータ１００の底面、特に上部洗濯リブ１１０の内側底面に密着して上部パルセータ１００を支持することになる。パルセータ４００に突起２１５が提供されると、上部パルセータ１００の外面に強い水圧が加えられても上部パルセータ１００が揺れることはないので前記問題を解決することができる。尚、図示してはいないが、突起２１５は下部パルセータ２００の側面だけではなく、上側面にも提供できる。前記のように下部パルセータ２００に提供される突起２１５は、例えば矩形などの多角形の平坦面を有する。
【００４７】
尚、図９には本発明による洗濯機の一実施例が図示されている。
図９を参照すれば、下部パルセータ２００は底面から下側に突出した多数の下部インペラ２８０を更に含めてなることがわかる。下部インペラ２８０はアウトレット２４０と隣接した位置の下部パルセータ２００の底面で下側に向かって多数が突出し、パルセータ４００の回転時にアウトレット２４０から排出された水を遠心力を用いて円周方向に吐出する。下部インペラ２８０が水を円周方向にポンピングする原理は一般的な遠心ポンプの原理と類似するので説明は省略する。
【００４８】
本発明によるパルセータ４００はろ過器３００を更に含めて成ることができる。ろ過器３００はインレット１２０に着脱可能に提供されインレット１２０に流れ込む水に含まれたリントを採集して水から取り除く。かかるろ過器３００は多様な実施例で実現でき、その代表的な実施例は図４及び図７、８を参照して説明する。
【００４９】
図４はインレット１２０に装着されるろ過器３００の一実施例の構造の概略を示している。図４を参照すると、ろ過器３００の一実施例は円筒形のケーシング３１０、キャップ３２０、また採取網３３０を含めてなる。ケーシング３１０の上部は開放され、下部には水が流動できるように多数のホールが提供される。ケーシング３１０はフックなどによってインレット１２０に着脱自在に装着される。キャップ３２０はフックなどによってケーシング３１０の開放上部に着脱自在に提供される。キャップ３２０には水とリントが共に通過できる流入孔３２５が提供される。採集網３３０は開放された上側を有して、ケーシング３１０内に前記開放された上側がキャップ３２０に隣接配置して提供される。
このように、構成されたろ過器３００をインレット１２０に装着すると、水がろ過器３００を通過してインレット１２０に流れ込む時に水に含まれたリントが採集網３３０内に収集されるので効率よくリントを除去することができる。採集網３３０内に多量のリントが収集されると、ろ過器３００をインレット１２０から分離し、ケーシング３１０とキャップ３２０とを分離した後、採集網３３０を取り出して収集したリントを除去すればよい。収集したリントが完全に除去されると、ろ過器３００を更に組み立ててインレット１２０に装着される。
【００５０】
図７及び図８はろ過器のほかの実施例の構造を示している。図７、図８を参照すると、ろ過器３００の他の実施例は円筒形のケーシング３４０、キャップ３５０、フィルター３６０を含めてなる。ケーシング３４０はフック３４５によってインレット１２０に着脱自在に装着される。ケーシング３４０は開放された上端を有し、前記開放された上端にはキャップ３５０が着脱自在に結合される。キャップ３５０には水とリントが通過できる流入孔３５５が提供される。ケーシング３４０の下端は水が流れるように完全に開放するか、多数の通孔（図示せず）が提供される。かかるケーシング３４０の下端には図８に示すように、フィルター３６０が提供される。フィルター３６０はキャップ３５０の流入孔３５５を介してケーシング３４０内部へ流れ込んだ後、パルセータ４００の内部に流動する水に含まれたリントを収集して除去する役割を果たす。かかるフィルター３６０では、スクリーン、メッシュなどリントを収集できる多様な形態の部材を用いることができる。
【００５１】
前記のように構成された上部及び下部パルセータ１００，２００は前記のように互いに組み立てたアセンブリーであって、洗濯機に装着して用いられる。組み立てられたパルセータ４００は洗濯機のインナータブ底面に提供され、駆動軸によって正方向と逆方向に回転しながらインナータブ内に貯水された水に水流を起こして洗濯を行う。
【００５２】
パルセータ４００の回転時上部洗濯リブ１１０は水と直接接触しながら、水平方向に大きく回転する水流を形成する。水平な回転水流が円筒型のインナータブ内に形成され、パルセータ４００が該水流にエネルギーを継続加えることになると、インナータブ内には渦巻が形成される。かかる渦巻が次第に大きくなることによって水位は低くなり、インナータブ内面と隣接した部分の水位は高くなる。このような状態でパルセータ４００が逆回転したり、乱水流などの影響を受けると、側面にある高い水位の水のうち、一部が中央部分に落下して小さい垂直方向の水流が形成される。
【００５３】
尚、インナータブの中央下部にある水はパルセータ４００のインレット１２０に流れ込む。インレット１２０に流れ込んだ水は流路２５０に沿って流動した後、アウトレット２４０を介してパルセータ４００の底面に排出される。
これと共にパルセータ４００の通孔１３０，２３０を介して水がパルセータ４００の底面に落ちる。パルセータ４００の底面に排出された水は下部インペラ２８０によって強力な力でポンピングされてインナータブの側壁に流動する。インナータブの底面と側壁が合わさる角部分は一般的にラウンディングされる。従って、下部インペラ２８０によりインナータブの側壁にポンプングされた水はラウンディング面に沿って上側に上昇することになる。このように水が側壁に沿って上昇すると、インナータブの側壁に隣接した部分の水位が更に上昇することになるので該部分の水がインナータブの中央部分に落ちることになる。インナータブの中央部から落ちた水はインナータブ底側に下降した後、インレット１２０と通孔１３０，２３０を介してパルセータ４００の底面の下側へ落ちることになる。
【００５４】
従って、本発明によるパルセータ４００は水平状態で回転する水流だけではなく、垂直方向に大きく動く水流を作ることができる。かかる垂直方向の水流はパルセータ４００に提供されるインレット１２０、２５０また、アウトレット２４０が形成される経路によって効果的に生成され、下部インペラ２８０のポンピングによって早く形成でき、且つ更に強くなる。
【００５５】
尚、本発明による洗濯機の一実施例の簡単な構造を図９に示す。
図９を参照すると、洗濯機の一実施例はキャビネット１０、タブ２０，３０、駆動軸４０、パルセータ４００を含めてなる。
キャビネット１０は外装を形成し、その上面にはカバー又はリッドが提供される。タブ２０、３０はアウタータブ２０と、インナータブ３０とからなる。アウタータブ２０はキャビネット２０内に提供され、その内部に水を収容する。インナータブ３０はアウタータブ２０の内側に回転自在に提供され、その側面には水が通過できるように通孔３５が提供される。駆動軸４０はアウタータブ２０とインナータブ３０の底面を貫通するように提供され、モーター５０と連結して正方向又は逆方向に回転する。パルセータ４００はインナータブ３０の内側底面に提供され、駆動軸４０に固定されて正方向又は逆方向に回転する。かかるパルセータ４００は金属材質の上部パルセータ１００と合成樹脂材質の下部パルセータ２００からなるが、その構成は図１ないし図８を参照して説明したパルセータの一実施例の構成と同一であるのでその説明を省略する。
【００５６】
図９に示すように、インナータブ３０の底面には下部インペラ２８０によりポンピングされた水を上側方向に案内して効果的な垂直方向水流を形成できるように凹面３７が提供される。凹面３７はパルセータ４００の直下に提供され、下部パルセータ２００の下部を収容する。かかる凹面３７とパルセータ４００の底面との間には所定の隙間が維持される。また、パルセータ４００の外周面の端部と凹面３７との間にも隙間が維持される。このように凹面３７とパルセータ４００との間に維持される隙間を介して下部インペラ２８０によりポンピングされた水が流動することになる。この時ポンピングされた水が形成する水流は曲線傾斜を有する凹面３７に沿って移動しながら水平方向運動から垂直方向運動に転換する。このように下部インペラ２８０からポンピングされた水をインナータブ３０の底面に提供された凹面３７が案内すると、インナータブ３０の側面と底面とが合わさる角に提供されたラウンド面が案内する時に比べて遥かに効果的であり、強力な垂直方向の水流を形成することができる。
【００５７】
尚、図１０及び図１１は本発明によるパルセータの他の実施例の構造を示している。これらを参照すると、パルセータの他の実施例は合成樹脂材質のパルセータボディー５００、またパルセータボディーの表面に提供される金属めっき層６００を含めてなる。
【００５８】
パルセータボディー５００はタブの底面を貫通するように設けられた駆動軸に結合されて正方向または逆方向に回転する。また、パルセータボディー５００の上面中央は上側に突出し、放射状に配置された多数の洗濯リブ５１０がパルセータボディー５００の上面に突出する。
【００５９】
金属めっき層６００は、パルセータボディー５００の上面と外周面に提供され、クロムめっき層で成されるのが望ましい。一般的に熱硬化性樹脂など熱的影響を少なく受ける合成樹脂上にクロムめっきを行うことは高度のテクニックを必要としないのでこれに対する説明は省略する。
【００６０】
このように、パルセータボディー５００の上面と外周面に提供されるクロムめっき層になされた金属めっき層６００はステンレススチールからなるインナータブと実質的に同一金属性質感及び光沢を発揮するので向上した美感を提供する。
また、クロムめっき層は待機中、変色されず耐久性に優れるので長期間使用しても変色や変形が起こらない。また、洗剤などのような化学製品に露出しても変色ないし損傷されることがない。クロムめっき層からなる金属めっき層６００はまた、表面強度が高く耐磨耗性に優れてスクラッチ及びバーの発生を防止でき、長期間使用しても洗濯物に損傷を与えることなく高信頼性を提供する。
また、離形性が高いので洗剤などにくっ付くことなく、高い照度を有していて一層向上された美感を提供する。
【００６１】
このように、パルセータの他の実施例では、合成樹脂材質のパルセータボディー５００の外面に金属めっき層６００が形成されたことを核心的な技術思想としている。かかる技術思想はステンレススチール薄板をプレス加工した後、下部パルセータ２００に組み立てる方式を採択したパルセータの一実施例と実質的に類似したものであるので同一発明の範囲に属すると見られる。
【００６２】
尚、パルセータの他の実施例には図１１に示すように、インレット６２０、アウトレット５４０、また、流路５３０が更に提供される。インレット６２０はパルセータ４５０の上側の中央から金属めっき層６００を貫通するように提供される。アウトレット６２０はパルセータボディー５００の底面側、更に詳しくは縁に隣接した位置に提供される。流路５３０はパルセータボディー５００の内側に提供されてインレット６２０とアウトレット５４０を互いに連通させる。従って、パルセータの他の実施例も図１ないし図８を参照して説明したパルセータの一実施例と同様に水平方向の水流と共に垂直方向の水流を提供することができる。
【００６３】
前記のように構成されたパルセータの他の実施例はまた、ろ過器７００が更に提供される。ろ過器７００はインレット６２０に脱着自在に装着され、インレット６２０に流れ込んだ水に含まれたリントを収集して除去する役割を果たす。
かかるろ過器は前記図４と図７及び図８を参照して説明したろ過器の実施例と同一であるので詳細な説明は省略する。
【００６４】
前記構造を有するパルセータの他の実施例はパルセータの上下を貫通する多数の通孔、洗濯リブ上面に提供される強度補強用グルーブなどパルセータの一実施例の説明と同じ構造が提供される。しかしながら、パルセータの他の実施例では金属めっき層６００が合成樹脂材質のパルセータボディー５００の外面に直接提供されるのでベンディングされた縁を有する必要がなく、図６を参照して説明した突起２１５も提供されない。
【００６５】
尚、図示してはいないが、本発明による洗濯機のほかの実施例はキャビネット、タブ、駆動軸、また、パルセータボディー及び金属めっき層を含めてなる。洗濯機のほかの実施例においてパルセータは図１０及び図１１を参照して説明したパルセータのほかの実施例と同一構成を有し、パルセータを除外した他の構成要素は図９を参照して説明した洗濯機の一実施例と同一構成を有するので重複説明はしない。かかる構成を有する洗濯機の他の実施例は図９を参照して説明した洗濯機の一実施例と同一に水平方向及び垂直方向の強力な水流を提供するので一層向上した洗濯能力を提供することができる。
【００６６】
【発明の効果】
以上説明したように、本発明によると、次のような効果がある。
第一に、パルセータの上面が金属材質からなるのでスクラッチ及びバーの発生を防止できる。従って、長期間使用しても洗濯物に損傷を与えることがないので製品の信頼性が向上する。
【００６７】
第二に、パルセータの上面がステンレススチールからなるインナータブの内面と類似した金属性の質感及び光沢を有するので向上した美感を提供する。
【００６８】
第三に、パルセータの中央に提供されたインレットを介してインナータブの水がパルセータの内部に流れ込んだ後パルセータ下側に排出される構造を提供する。従って、水平方向の回転水流とは別に垂直方向の水流を容易に形成することができる。これとともに、下部パルセータの下側から下部インペラによってポンピング形成された水平方向の水流をタブの底面に提供した凹面が垂直方向の水流に変換されるので、更に強力な垂直方向の水流を形成することができる。従って、本発明は従来に比べて更に向上した洗濯性能を提供することができる。
【００６９】
第四に、パルセータのインレットに提供されたろ過器が水に含まれたリントを収集して除去するのでリントによる洗濯機の故障を予め防止できる。また、前記ろ過器が提供される場合、インナータブの側壁に提供される他のろ過器を設けなくてもよい。
【００７０】
第五に、パルセータが金属材質の上部パルセータ及び合成樹脂材質の下部パルセータに製作されて組み立てられる場合、洗濯リブの強度を補強するためのグルーブ及び上部パルセータの揺れ発生防止のための突起が共に提供されるので製品の信頼性が向上する。
第六に、パルセータが合成樹脂材質のボディーと金属めっき層を含めて成される場合、美感が更に向上するだけではなく製作及び大量生産性が向上する。
【００７１】
以上本発明の好適な一実施例について説明したが、前記実施例に限定されず、本発明の技術思想に基づいて種々の変形が可能である。
例えば、金属材質の上部パルセータに組み立てられる下部パルセータには下部洗濯リブが必ずしも提供される必要はない、上部パルセータの強度が十分であれば、下部パルセータに下部洗濯リブが提供されなくても構わない。
【図面の簡単な説明】
【図１】本発明によるパルセータの一実施例を示す斜視図である。
【図２】本発明によるパルセータの一実施例を示す分解斜視図である。
【図３】図２のパルセータに強度補強用グルーブが更に備えられている様子を示す分解斜視図である。
【図４】図２のパルセータにろ過器の一実施例が更に備えられた様子を示す断面図である。
【図５】上部及び下部パルセータ間のギャップを示す部分断面図である。
【図６】突起が備えられたパルセータの部分断面図である。
【図７】図２のパルセータにろ過器の他の実施例が更に備えられた様子を示す斜視図である。
【図８】図７のパルセータの部分断面図である。
【図９】本発明による洗濯機の一実施例の断面図である。
【図１０】本発明によるパルセータの他の実施例の断面図である。
【図１１】図９のパルセータで流路及びろ過器が更に備えられた様子を示す断面図である。
【図１２】一般的なパルセータタイプ洗濯機を示す一部切開斜視図である。
【符号の説明】
１００…上部パルセータ
１１０…上部洗濯リブ
１２０…インレット
２００…下部パルセータ
２１０…下部洗濯リブ
２２０…案内面
２４０…アウトレット
２５０…流路
２６０…案内リブ
３００…ろ過器
４００…パルセータ
５００…パルセータボディー
５１０…金属めっき層
【図１】
0004455832.tif 000002
【図２】
0004455832.tif 000003
【図３】
0004455832.tif 000004
【図４】
0004455832.tif 000005
【図５】
0004455832.tif 000006
【図６】
0004455832.tif 000007
【図７】
0004455832.tif 000008
【図８】
0004455832.tif 000009
【図９】
0004455832.tif 000010
【図１０】
0004455832.tif 000011
【図１１】
0004455832.tif 000012
【図１２】
0004455832.tif 000013